(57)【要約】【課題】結婚式等、ペアとなる二人が主役のセレモニー等で発生する品々や各種のものを収納して保管し、後日の閲覧に供するのに相応しい構成で、かつ、当日のセレモニーを演出してショーアップするような仕掛けを設けることができるタイムカプセルの提供。【解決手段】胴部１１の両端の開口部を蓋部１２，１３で開閉自在とする。小径ボルト１５及び袋ナット１６により、胴部１１のフランジ１１ａに対して蓋部１２，１３のフランジ１２ａ，１３ａを締結固定する。大径ボルト２１に南京錠３０のかんぬきを挿通して施錠自在とする。【選択図】    図１
2004323104.tif 000002
【特許請求の範囲】
【請求項１】
内部に収容物を収容自在な収容空間を有すると共に、少なくとも２箇所に開口部を有する胴部と、
前記胴部の開口部毎に設けられ、それぞれ、前記胴部の開口部を開閉自在な蓋部と、
前記蓋部毎に設けられ、それぞれ、前記胴部の開口部に前記蓋部を取付ける蓋部取付手段と、
前記蓋部毎に設けられ、それぞれ、前記胴部の開口部に取付けた前記蓋部を、前記胴部に対して施錠自在なロック手段と、
前記ロック手段毎に設けられ、それぞれ、前記ロック手段による前記胴部への前記蓋部の施錠を解除する鍵手段と
を備えることを特徴とするタイムカプセル。
【請求項２】
更に、フォトフレームと、前記フォトフレームを前記胴部に対して支持自在な支持手段とを備えることを特徴とする請求項１記載のタイムカプセル。
【請求項３】
前記フォトフレームは、写真を挿入自在な写真立て状の写真部と、時計とを一体的に設けたものであることを特徴とする請求項２記載のタイムカプセル。
【請求項４】
前記蓋部取付手段は、前記蓋部を前記胴部に対して締結するボルトを有し、
前記支持手段は、前記胴部の上部位置において前記ボルトに対して取付自在な一端部と、前記一端部に接続されて下方へと垂下し、前記フォトフレームの下端を載置して支持自在な支持部とを有することを特徴とする請求項２または３記載のタイムカプセル。
【請求項５】
内部に収容物を収容自在な収容空間を有すると共に軸方向両端を開口部とした円筒状をなす胴部と、
前記胴部の軸方向両端に一体形成されると共に、それぞれが複数の挿通孔を有する一対のフランジと、
前記胴部の開口部に対応して設けられ、それぞれが対応する前記胴部の開口部を開閉自在な略円形の外周縁を有する一対の蓋部と、
前記蓋部の外周縁に一体形成されると共に、それぞれが前記胴部のフランジの挿通孔と整合する位置に複数の挿通孔を有するフランジと、
前記胴部の一対のフランジにそれぞれ対応する前記蓋部のフランジを重ね、前記胴部の各フランジの複数の挿通孔と前記各蓋部のフランジの複数の挿通孔とを互いに整合させた状態で、前記整合する複数対の挿通孔のうち、少なくともいずれか一つの対の挿通孔に挿通されて、前記胴部の一対の開口部に対して前記一対の蓋部をそれぞれ締結固定自在な第１のボルトを有する一対の蓋部取付手段と、前記重ねた状態の前記胴部の一対のフランジ及び一対の前記蓋部のフランジにおいて、前記整合する複数対の挿通孔のうち、前記第１のボルトを挿通する挿通孔以外のいずれか一つの対の挿通孔に挿通自在とされると共に、軸部の先端部に直径方向に貫通する装着孔を形成した一対の第２のボルトと、
前記一対の第２のボルトに対応して設けられ、それぞれが対応する前記第２のボルトの装着孔に挿通自在なかんぬきを有する一対の南京錠と、
前記一対の南京錠に対応して設けられ、それぞれが対応する前記南京錠を開錠自在な鍵と
を備えることを特徴とするタイムカプセル。
【請求項６】
内部に収容物を収容自在な収容空間を有すると共に軸方向両端を開口部とした円筒状をなす胴部と、
前記胴部の軸方向両端に一体形成されると共に、それぞれが３個以上の挿通孔を有する一対のフランジと、
前記胴部の開口部に対応して設けられ、それぞれが対応する前記胴部の開口部を開閉自在な略円形の外周縁を有する一対の蓋部と、
前記蓋部の外周縁に一体形成されると共に、それぞれが前記胴部のフランジの挿通孔と整合する位置に３個以上の挿通孔を有するフランジと、
前記胴部の一対のフランジにそれぞれ対応する前記蓋部のフランジを重ね、前記胴部の各フランジの複数の挿通孔と前記各蓋部のフランジの複数の挿通孔とを互いに整合させた状態で、前記整合する３対以上の挿通孔のうち、少なくともいずれか一つの対の挿通孔に挿通されて、前記胴部の一対の開口部に対して前記一対の蓋部をそれぞれ締結固定自在な第１のボルトを有する一対の蓋部取付手段と、
前記重ねた状態の前記胴部の一対のフランジ及び一対の前記蓋部のフランジにおいて、前記整合する３対以上の挿通孔のうち、前記第１のボルトを挿通する挿通孔以外のいずれか一つの対の挿通孔に挿通自在とされると共に、軸部の先端部に直径方向に貫通する装着孔を形成した一対の第２のボルトと、
前記一対の第２のボルトに対応して設けられ、それぞれが対応する前記第２のボルトの装着孔に挿通自在なかんぬきを有する一対の南京錠と、
前記一対の南京錠に対応して設けられ、それぞれが対応する前記南京錠を開錠自在な鍵と、
前記重ねた状態の前記胴部の一対のフランジ及び一対の前記蓋部のフランジにおいて、前記整合する３対以上の挿通孔のうち、前記第１のボルトを挿通する挿通孔及び前記第２のボルトを相通する挿通孔以外のいずれか一つの対の挿通孔に挿通され、かしめにより前記胴部のフランジに対して前記蓋部のフランジを締結固定すると共に、その軸を中心として前記蓋部が前記胴部の開口部に対して回動自在となるようにするリベットと
を備えることを特徴とするタイムカプセル。
【請求項７】
更に、前記各胴部の内部に、その内部空間を２つに仕切って一対の収容空間を形成する隔壁を設けたことを特徴とする請求項１乃至６のいずれか１項記載のタイムカプセル。
【発明の詳細な説明】
【０００１】
【発明の属する技術分野】
本発明は、記念等の目的で内部に所定のものを収容して密封し、所定期間経過後に開封して内部のものを閲覧するために使用されるタイムカプセルに関する。
【０００２】
【従来の技術】
従来のタイムカプセルとして、例えば、特許文献１または特許文献２に記載の技術がある。
【特許文献１】
特開２０００−３０９３３７号公報
【特許文献２】
特開平１１−２６８７５０号公報
【０００３】
特許文献１には、陶磁器製の本体容器の外側にフック付きプレートを設けて、陶磁器製の蓋の内側突起に引掛けるようにした陶磁器製タイムカプセルが開示されている。また、特許文献２には、タイムカプセルの蓋内に、筒体と、筒体内に固設したガラス板とからなる窓部を気密に設置し、この窓からカプセル本体内の収納物を監察可能とすることが開示されている。
【０００４】
【発明が解決しようとする課題】
ここで、人生には、結婚、出産（赤ちゃん誕生）等、夫婦等のペアとなる二人が、共同して作業し、かつ、周囲の祝福を受ける大きな節目（記念日）があり、その節目には結婚式や出産祝等の行事（セレモニー）等を行うのが通例である。このうち、結婚を例に取ると、結婚式（ウェディング）では、新郎新婦の二人が、家族、親戚、友人、知人等を招待して、今後の人生の誓いを皆の前で立てると共に、招待された友人等が、二人の門出を祝福する。また、当日の記念として、新郎新婦や友人等が各種の記念写真を撮ったり、友人等が新郎新婦にあてて色紙等にメッセージを書いたりする。よって、これらの当日の記念となる品々やものを長期間良好に保管し、後日それらの品々やものを夫婦や友人等の関係者が閲覧できるようにすると、夫婦にとっても結婚当時の初心を思い出しよい機会となり、友人等にとっても懐古的な楽しみに興じることができる。そして、これらの記念の品々やものを保管する容器として、上記特許文献１または特許文献２に記載のタイムカプセルを使用することも考えられる。
【０００５】
しかし、特許文献１または特許文献２に記載のタイムカプセルは、結婚式等、ペアとなる二人が主役のセレモニーでの使用を全く想定しておらず、かかるセレモニーの記念の品々やものを保管する容器としては、その演出効果等の点で適当であるとはいえない。また、かかる容器やタイムカプセルは、結婚式等で当日の記念の品々等を収納して保管するだけでなく、当日のセレモニーを演出してショーアップするような仕掛けを設けることができれば更に好ましい。
【０００６】
そこで、本発明は、結婚式等、ペアとなる二人が主役のセレモニー等で発生する品々や各種のものを収納して保管し、後日の閲覧に供するのに相応しい構成で、かつ、当日のセレモニーを演出してショーアップするような仕掛けを設けることができるタイムカプセルの提供を課題とする。
【０００７】
【課題を解決するための手段】
請求項１に係るタイムカプセルは、内部に収容物を収容自在な収容空間を有すると共に、少なくとも２箇所に開口部を有する胴部と、前記胴部の開口部毎に設けられ、それぞれ、前記胴部の開口部を開閉自在な蓋部と、前記蓋部毎に設けられ、それぞれ、前記胴部の開口部に前記蓋部を取付ける蓋部取付手段と、前記蓋部毎に設けられ、それぞれ、前記胴部の開口部に取付けた前記蓋部を、前記胴部に対して施錠自在なロック手段と、前記ロック手段毎に設けられ、それぞれ、前記ロック手段による前記胴部への前記蓋部の施錠を解除する鍵手段とを備える。
【０００８】
請求項２に係るタイムカプセルは、請求項１の構成において、更に、フォトフレームと、前記フォトフレームを前記胴部に対して支持自在な支持手段とを備える。
【０００９】
請求項３に係るタイムカプセルは、請求項２の構成において、前記フォトフレームが、写真を挿入自在な写真立て状の写真部と、時計とを一体的に設けたものである。
【００１０】
請求項４に係るタイムカプセルは、請求項２または３の構成において、前記蓋部取付手段が、前記蓋部を前記胴部に対して締結するボルトを有し、前記支持手段は、前記胴部の上部位置において前記ボルトに対して取付自在な一端部と、前記一端部に接続されて下方へと垂下し、前記フォトフレームの下端を載置して支持自在な支持部とを有する。
【００１１】
請求項５に係るタイムカプセルは、内部に収容物を収容自在な収容空間を有すると共に軸方向両端を開口部とした円筒状をなす胴部と、前記胴部の軸方向両端に一体形成されると共に、それぞれが複数の挿通孔を有する一対のフランジと、前記胴部の開口部に対応して設けられ、それぞれが対応する前記胴部の開口部を開閉自在な略円形の外周縁を有する一対の蓋部と、前記蓋部の外周縁に一体形成されると共に、それぞれが前記胴部のフランジの挿通孔と整合する位置に複数の挿通孔を有するフランジと、前記胴部の一対のフランジにそれぞれ対応する前記蓋部のフランジを重ね、前記胴部の各フランジの複数の挿通孔と前記各蓋部のフランジの複数の挿通孔とを互いに整合させた状態で、前記整合する複数対の挿通孔のうち、少なくともいずれか一つの対の挿通孔に挿通されて、前記胴部の一対の開口部に対して前記一対の蓋部をそれぞれ締結固定自在な第１のボルトを有する一対の蓋部取付手段と、前記重ねた状態の前記胴部の一対のフランジ及び一対の前記蓋部のフランジにおいて、前記整合する複数対の挿通孔のうち、前記第１のボルトを挿通する挿通孔以外のいずれか一つの対の挿通孔に挿通自在とされると共に、軸部の先端部に直径方向に貫通する装着孔を形成した一対の第２のボルトと、前記一対の第２のボルトに対応して設けられ、それぞれが対応する前記第２のボルトの装着孔に挿通自在なかんぬきを有する一対の南京錠と、前記一対の南京錠に対応して設けられ、それぞれが対応する前記南京錠を開錠自在な鍵とを備える。
【００１２】
請求項６に係るタイムカプセルは、内部に収容物を収容自在な収容空間を有すると共に軸方向両端を開口部とした円筒状をなす胴部と、前記胴部の軸方向両端に一体形成されると共に、それぞれが３個以上の挿通孔を有する一対のフランジと、前記胴部の開口部に対応して設けられ、それぞれが対応する前記胴部の開口部を開閉自在な略円形の外周縁を有する一対の蓋部と、前記蓋部の外周縁に一体形成されると共に、それぞれが前記胴部のフランジの挿通孔と整合する位置に３個以上の挿通孔を有するフランジと、前記胴部の一対のフランジにそれぞれ対応する前記蓋部のフランジを重ね、前記胴部の各フランジの複数の挿通孔と前記各蓋部のフランジの複数の挿通孔とを互いに整合させた状態で、前記整合する３対以上の挿通孔のうち、少なくともいずれか一つの対の挿通孔に挿通されて、前記胴部の一対の開口部に対して前記一対の蓋部をそれぞれ締結固定自在な第１のボルトを有する一対の蓋部取付手段と、前記重ねた状態の前記胴部の一対のフランジ及び一対の前記蓋部のフランジにおいて、前記整合する３対以上の挿通孔のうち、前記第１のボルトを挿通する挿通孔以外のいずれか一つの対の挿通孔に挿通自在とされると共に、軸部の先端部に直径方向に貫通する装着孔を形成した一対の第２のボルトと、前記一対の第２のボルトに対応して設けられ、それぞれが対応する前記第２のボルトの装着孔に挿通自在なかんぬきを有する一対の南京錠と、前記一対の南京錠に対応して設けられ、それぞれが対応する前記南京錠を開錠自在な鍵と、前記重ねた状態の前記胴部の一対のフランジ及び一対の前記蓋部のフランジにおいて、前記整合する３対以上の挿通孔のうち、前記第１のボルトを挿通する挿通孔及び前記第２のボルトを相通する挿通孔以外のいずれか一つの対の挿通孔に挿通され、かしめにより前記胴部のフランジに対して前記蓋部のフランジを締結固定すると共に、その軸を中心として前記蓋部が前記胴部の開口部に対して回動自在となるようにするリベットとを備える。
【００１３】
請求項７に係るタイムカプセルは、請求項１乃至６のいずれかの構成において、更に、前記各胴部の内部に、その内部空間を２つに仕切って一対の収容空間を形成する隔壁を設けた。
【００１４】
【発明の実施の形態】
以下、本発明の実施の形態を説明する。なお、各実施の形態を通じ、同一の部材、要素または部分には同一の符号を付して、その説明を省略する。
【００１５】
実施の形態１
図１は本発明の実施の形態１に係るタイムカプセルを示す正面図である。図２は本発明の実施の形態１に係るタイムカプセルを示す背面図である。図３は本発明の実施の形態１に係るタイムカプセルを示す上面図（平面図）である。図４は本発明の実施の形態１に係るタイムカプセルを示す下面図（底面図）である。図５は本発明の実施の形態１に係るタイムカプセルの蓋部の開放状態を示す斜視図である。
【００１６】
図１及び図２に示すように、実施の形態１に係るタイムカプセルは、まず、両端を半球状とした横長の略円筒状をなす本体１０を備える。本体１０は、胴部１１と左右一対の蓋部１２及び１３とを有するスリーピース構造である。胴部１１は、長さ方向両端（左右両端）を開口した横長円筒状をなす。胴部１１の内部空間は、その長さ方向（軸方向）に貫通している。胴部１１の長さ方向両端には、それぞれ、外側に張り出す略ドーナツ板状のフランジ１１ａが一体形成されている。蓋部１２，１３は、それぞれ、底面を開口した中空の半球状またはドーム状をなす。蓋部１２，１３の底面側には、それぞれ、外側に張り出す略ドーナツ板状のフランジ１２ａ，１３ａが一体形成されている。蓋部１２，１３のフランジ１２ａ，１３ａは、胴部１１の左右のフランジ１１ａと同一寸法（同一径）及び同一外形であり、胴部１１の左右のフランジ１１ａにそれぞれ正確に重ね合わせることができる。更に、胴部１１のフランジ１１ａ及び蓋部１２，１３のフランジ１２ａ，１３ａは、それぞれ、下端側が直線状に形成されている。即ち、フランジ１１ａ及びフランジ１２ａ，１３ａは、下端の直線部分と、その直線部分から円周方向に環状に延びる円形環状部分とからなる。
【００１７】
図５に示すように、胴部１１の各フランジ１１ａには、まず、合計５個の小径挿通孔１１ｂが所定角度位置に貫通形成されている。５個の小径挿通孔１１ｂは、そのうちの１個の小径挿通孔１１ｂがフランジ１１ａの円形環状部分の頂部（最も高い位置）に形成されると共に、２個の小径挿通孔１１ｂがフランジ１１ａの下端の直線部分の両端に形成される。そして、フランジ１１ａにおいて、前記頂部の小径挿通孔１１ｂと直線部分の両端の小径挿通孔１１ｂとの略中間位置に、残りの２個の小径挿通孔１１ｂが形成される。同様に、蓋部１２，１３の各フランジ１２ａ，１３ａには、合計５個の小径挿通孔１２ｂ，１３ｂが、前記フランジ１１ａの５個の小径挿通孔１１ｂと整合する所定角度位置に貫通形成されている。即ち、５個の小径挿通孔１２ｂ，１３ｂは、そのうちの１個の小径挿通孔１２ｂ，１３ｂがフランジ１２ａ，１３ａの円形環状部分の頂部（最も高い位置）に形成されると共に、２個の小径挿通孔１２ｂ，１３ｂがフランジ１２ａ，１３ａの下端の直線部分の両端に形成される。そして、フランジ１２ａ，１３ａにおいて、前記頂部の小径挿通孔１２ｂ，１３ｂと直線部分の両端の小径挿通孔１２ｂ，１３ｂとの略中間位置に、残りの２個の小径挿通孔１２ｂ，１３ｂが形成される。
【００１８】
更に、フランジ１１ａの円形環状部分の頂部の小径挿通孔１１ｂと中間位置の小径挿通孔１１ｂとの間の略中間位置には、小径挿通孔１１ｂより大径の大径挿通孔１１ｃが貫通形成されている。同様に、各フランジ１２ａ，１３ａの円形環状部分の頂部の小径挿通孔１２ｂ，１３ｂと中間位置の小径挿通孔１２ｂ，１３ｂとの間の略中間位置には、前記大径挿通孔１１ｃと整合する所定角度位置に、小径挿通孔１２ｂ、１３ｂより大径の大径挿通孔１２ｃ，１３ｃが貫通形成されている。なお、フランジ１２ａ，１３ａの小径挿通孔１２ｂ，１３ｂは、フランジ１１ａの小径挿通孔１１ｂと同一径である。同様に、フランジ１２ａ，１３ａの大径挿通孔１２ｃ，１３ｃは、フランジ１１ａの大径挿通孔１１ｃと同一径である。そして、胴部１１のフランジ１１ａに蓋部のフランジ１２ａ，１３ａを重ね合わせると、フランジ１２ａ，１３ａの小径挿通孔１２ｂ，１３ｂが、フランジ１１ａの小径挿通孔１１ｂと位置的及び径的に完全に整合すると共に、フランジ１２ａ，１３ａの大径挿通孔１２ｃ，１３ｃが、フランジ１１ａの大径挿通孔１１ｃと位置的及び径的に完全に整合する。なお、説明の便宜上、図５では右側の蓋部１３のフランジ１３ａと小径挿通孔１３ｂ及び大径挿通孔１３ｃのみ図示しているが、左側の蓋部１２のフランジ１２ａにも、同様の小径挿通孔１２ｂ及び大径挿通孔１２ｃが形成されるため、小径挿通孔１３ｂ及び大径挿通孔１３ｃの右側に括弧書きで小径挿通孔１２ｂ及び大径挿通孔１２ｃの部材番号を付している。
【００１９】
胴部１１に蓋部１２，１３を取付け、フランジ１１ａにフランジ１２ａ，１３ａを重ねた状態で、フランジ１１ａの小径挿通孔１１ｂ及びフランジ１２ａ，１３ａの小径挿通孔１２ｂ、１３ｂには、それぞれ、小径ボルト１５の軸部が挿通され、小径ボルト１５の軸部にワッシャ１６を介して袋ナット１７が螺合される。また、フランジ１１ａの大径挿通孔１１ｃ及びフランジ１２ａ，１３ａの大径挿通孔１２ｃ、１３ｃには、それぞれ、大径ボルト２１の軸部が挿通され、大径ボルト２１の軸部に大径ナット２２が螺合される。これにより、小径ボルト１５及び袋ナット１７並びに大径ボルト２１及び大径ナット２２を介して、フランジ１１ａにフランジ１２ａ，１３ａを固定することができる。これにより、胴部１１の左右両端に蓋部１２，１３を装着し、本体１０を構成することができる。このとき、胴部１１のフランジ１１ａの下端の直線部と、蓋部１２，１３のフランジ１２ａ，１３ａの下端の直線部とが、本体１０の左右でテーブル等の載置対象物の載置面に直線的に接触するため、本体１０を安定して載置対象物上に保持することができる。
【００２０】
本体１０の胴部１１に蓋部１２，１３を固定する小径ボルト１７及び大径ボルト２１のうち、大径ボルト２１の軸部には、大径ナット２２から突出する先端部分に、所定径の装着孔（図示略）が軸部の直径方向に貫通するよう形成されている。この大径ボルト２１の軸部の装着孔には、ハート型の南京錠３０のかんぬき３１が挿通される。即ち、実施の形態１では、左右の大径ボルト２１の軸部に、それぞれ、南京錠３０のかんぬき３１が挿通される。そして、南京錠３０のかんぬき３１の先端を箱部３２に押し込んで掛け金をかけることにより、南京錠３０がロックされた状態で大径ボルト２１に取付けられる。これにより、南京錠３０を固有の鍵により開錠しない限り、大径ボルト２１及びナット２２を取外すことができず、他の５本の小径ボルト１５及び袋ナット１７を全て取外したとしても、胴部１１に対して蓋部１２，１３を開放できなくなる。
【００２１】
図３及び図４に示すように、左右一対のフランジ１１ａの頂部の小径挿通孔１１ｂと、その小径挿通孔１１ｂに挿通される左右一対の小径ボルト１５との間には、フォトフレーム５０を着脱自在に支持する支持鋼線４０が掛止状態で固定される。具体的には、支持鋼線４０は、小径ボルト１５の軸部に対応する径を有する左右一対の円弧状部４１を備えている。また、支持鋼線４０は、円弧状部４１から下方へと垂下する左右一対の第１垂下部４２と、第１垂下部４２と略直交して延びる左右一対の直交部４３と、直交部４３と略直交して下方へ延びる左右一対の第２垂下部４４と、第２垂下部４４から傾斜して垂下する左右一対の背面支持部４５と、両背面支持部４５の下端間を連結すると共に上方に屈曲または湾曲するフック状（鉤状）の下端支持部４５とを備える。そして、支持鋼線４０の左右一対の円弧状部４１を、左右一対の小径ボルト１５の軸部の基端側（頭部側）に巻き回した状態で、各小径ボルト１５を袋ナット１７に螺合することにより、左右一対の円弧状部４１が左右一対の小径ボルト１５の頭部とフランジ１１ｂとの間に挟持して固定される。これにより、支持鋼線４０を本体１０に対して所定位置に固定できる。なお、このとき、支持鋼線４０の両第１垂下部４２は、それぞれ、フランジ１１ｂの側面に略密接して下方へと垂下する。また、両直交部４３は、それぞれ、第１垂下部４２と略直交して胴部１１の内側へと向かって延びる。更に、両第２垂下部４４は、フランジ１１ｂから離間してフランジ１１ｂの側面と略平行となるよう下方へと延びる。このとき、フォトフレーム５０は、背面を支持鋼線４０の背面支持部４５に凭れかけさせた状態で、支持鋼線４０の下端支持部４６に載置して支持される。即ち、支持鋼線４０の背面支持部４５が、フォトフレーム５０の背面に接触してフォトフレーム５０を後方から支持する部分を形成するとともに、下端支持部４６が、本体１０の下端側前方の位置で左右に延び、フォトフレーム５０支持用のフック状部分を形成する。
【００２２】
よって、この支持部４５に、フォトフレーム５０の下端縁部を載置して掛止すると共に、両第２垂下部４４によりフォトフレーム５０の背面の左右両端側を支持することにより、支持鋼線４０によりフォトフレーム５０を安定して載置支持することができる。また、フォトフレーム５０を持ち上げることにより、フォトフレーム５０を支持鋼線４０の支持部４５から簡単に取外すことができる。ここで、フォトフレーム５０は、全体を透明ガラス製とした横長長方形板状のものであり、左側の略全体に写真部５１を一体的に配置すると共に、右側上部に円形の小型の時計５２を一体的に配置している。写真部５１は、記念写真等の写真を挿入して飾ることができるものであり、通常のシングルフレーム状の写真立てと同様の構成である。更に、フォトフレーム５０の右側の中央部から下部には、セレモニーに特有の文言若しくはメッセージや、セレモニーの主役となる二人の氏名、及びセレモニーの日付等が、エッチングやショットブラスト等により彫刻されている。なお、フォトフレーム５０は、原材料となるガラス基板に、エッチングやショットブラスト等を利用して、様々なメッセージや模様等を彫り込むことができる。
【００２３】
ここで、前記本体１０はステンレス鋼等の金属材料により形成される。また、南京錠３０は真鍮等の金属材料により形成される。更に、支持鋼線４０は、ステンレス鋼により形成される。
【００２４】
実施の形態１においては、前記小径ボルト１５及び袋ナット１７が蓋部取付手段を構成する。また、前記大径ボルト２１及び大径ナット２２も蓋部取付手段を構成することが可能である。更に、大径ボルト２１に取付けられる南京錠３０が、ロック手段を構成し、南京錠３０の鍵が鍵手段を構成する。そして、支持鋼線４０がフォトフレーム５０の支持手段を構成する。
【００２５】
使用方法及び効果
上記のように構成した実施の形態１に係るタイムカプセルは、例えば、結婚式において以下のように使用することができ、そのフィナーレを効果的に演出及びショーアップすることができる。即ち、まず、結婚式の受付において、受付係等が、来賓の各々について即席写真を撮影して当人にその場で手渡すと共に、結婚式のフィナーレで使用するので保管するように依頼する。なお、即席写真としては、撮影直後に印画が行える機種のカメラを使用してその場で写真を撮影及び印画したり、デジタルカメラで写真を撮影してその画像データをその場で印刷するようにしたりすることができる。また、このとき、写真の一部に空白部分を設け、後でメッセージを書き込めるよう、写真をデザインすることが好ましい。
【００２６】
次に、例えば、結婚式の途中で新郎新婦がお色直しで中座した際等の適宜なタイミングで、司会者等が、来賓に対して、先ほどの写真の空白部分に、自己の氏名や新郎新婦に対するメッセージ等を書き込むよう依頼する。また、各自の写真は、タイムカプセルに収容され、所定期間経過後（例えば、１０年後、２０年後、３０年後）まで保存される旨を司会者等が来賓に伝える。次に、新郎新婦が、バスケットを携えて来賓のテーブルを回り、メッセージが書き込まれた写真をバスケットに集める。次に、写真をバスケットに集め終わったら、新郎新婦は、そのバスケットを係の者等を介して司会者等に手渡す。なお、この後、写真の入ったバスケットを持つ司会者等が、中の写真を任意に選んで、その写真の来賓のメッセージを読み上げて、結婚式の演出効果を高めることもできる。或いは、司会者等が、バスケットに入った写真を一度抽選用の箱等に入れ、ゲーム形式のようにして、その箱から任意の写真を取出して、その写真の来賓のメッセージを読み上げ、演出効果を高めるようにすることもできる。
【００２７】
この後、写真は、タイムカプセルの本体１０の内部に、他の記念の品々やものと共に収容される。なお、タイムカプセルに収容する記念の品々やものとしては、例えば、結婚式当日の新聞、新郎新婦の交際時代のラブレター、電子メールのプリントアウト、タイムカプセル開封時に向けた新郎新婦の相手への手紙、まだ生まれていない二人の子供への手紙、親族、友人、知人等からタイムカプセル開封時に向けた新郎新婦への手紙や写真、新郎新婦の両親からまだ生まれていない孫への手紙等がある。これらの品々やものは、タイムカプセルの本体１０から小径ボルト１５及び大径ボルト２１と袋ナット１６及び大径ナット２２を取外し、本体１０の胴部１１から蓋部１２，１３を開いて、胴部１１の内部に収容する。その後、胴部１１の両端開口部に対して蓋部１２，１３を取付けて固定する。即ち、フランジ１１ａにフランジ１２ａ，１３ａを重ね合わせて、小径ボルト１５を小径挿通孔１１ｂ，１２ｂ，１３ｂに挿通し、ワッシャ１６を介して袋ナット１７に螺合する。また、大径ボルト２１を大径挿通孔１１ｃ，１２ｃ，１３ｃに挿通し、大径ナット２２に螺合する。なお、この時点では、大径ボルト２１の軸部には、南京錠３０は取付けていない。
【００２８】
次に、タイムカプセルプレゼンターと呼ばれる演出用スタッフの一人が、壮大な音楽やスポットライト等の照明等の各種演出効果と共に、写真や手紙等の記念の品々等を本体１０内部に収容したタイムカプセルを結婚式場に運んでくる。同時に、もう一人のタイムカプセルプレゼンターが、タイムカプセルを持つ先のタイムプレゼンターに随伴して、シーツを懸けたトレー上に一対の南京錠３０を掲げ持って結婚式場に運んでくる。両タイムカプセルプレゼンターは、そのタイムカプセル及び南京錠３０を支持するトレーを所定のテーブルに置き、そのテーブル両脇に待機する。なお、タイムカプセルプレゼンターは、新郎新婦の親友や親しい親戚（いとこ等）等から選択することが、演出効果の点で好ましい。
【００２９】
次に、司会者等の演出的な言葉、ファンファーレ等の音響効果、シャボン玉マシーンから発生したシャボン玉等の各種演出効果と共に、新郎新婦が、タイムカプセルを置いたテーブルの後方に立ち、トレー上の南京錠３０をそれぞれ手にとって、タイムカプセルの本体１０の左右の大径ボルト２１の軸部に対して、南京錠３０の鍵を同時に掛ける。即ち、新郎新婦の各々が、タイムカプセルの左右両側において、南京錠３０のかんぬき３１を大径ボルト２１の軸部の装着孔に挿入し、箱部３２に押し込んでロックする。次に、南京錠３０の開錠用の一対の鍵を、新郎新婦が、ガーディアンと呼ばれる二人の演出用スタッフに手渡す。ガーディアンの二人としては、新郎新婦が信頼し、今後の結婚生活を見守ってほしい人を選択する。例えば、新郎新婦の仲人をガーディアンとして選択することができる。そして、左右一対の南京錠３０を掛けたタイムカプセルは、開封する年月及び日時（設定日）を設定し、その日時に開封するようにする。この設定日は、来賓にその場で伝えたり、後日或いは設定日が近づいたら伝えたりして、その設定日に、結婚式当日の関係者を集めて、タイムカプセルの開封の儀式を行うようにすることもできる。タイムカプセルを開封するには、まず、左右一対の南京錠３０を開錠して、そのかんぬき３１を大径ボルト２１から取外す。次に、フランジ１１ａ，１２ａ，１３ａから、５組の小径ボルト１５及び袋ナット１７を全て取外すと共に、大径ボルト２１及び大径ナット２２を取外す。すると、左右一対の蓋部１２，１３を胴部１１から取外して、胴部１１の左右両端の開口部を開放することができ、胴部１１の内部から収容物を外部に取出すことができる。
【００３０】
ここで、南京錠３０を掛けたタイムカプセルは、新郎新婦の二人が、設定日まで保管する。また、ガーディアンの二人は、設定日まで、２つの鍵を大事に預かり、設定日にタイムカプセルの開封場所へと持参するようにする。これにより、設定日まで、新郎新婦の二人は、タイムカプセルを開封できないことになる。
上記のように、実施の形態１のタイムカプセルは、左右一対の蓋部１２，１３により胴部１１を密封すると共に、左右一対の南京錠３０により鍵を掛けるため、記念の主人公たる関係者が二人いる場合の記念式典やセレモニー等において、その記念の品々や者を収容して長期間保管または保存する容器として好適に使用することができる。よって、結婚式以外にも、二人が主人公となるその他の記念式典やセレモニー（銀婚式、金婚式等）で使用したり、夫婦の赤ちゃん（ベビー）誕生の節目に使用したりすることができる。
【００３１】
実施の形態２
図６は本発明の実施の形態２に係るタイムカプセルの要部を示す側面図である。
実施の形態２に係るタイムカプセルは、左右一対のフランジ１１ａ及びフランジ１２ａ，１３ａを締結固定する５組の小径ボルト１５及びワッシャ１６及び袋ナット１７のうちの１組を、リベット１０１により置き換えている。その他の構成は、実施の形態１のタイムカプセルと同様である。具体的には、図６に示すように、フランジ１１ａ，１２ａ，１３ａの下端の直線部分にある一方の小径挿通孔１１ｂ，１２，１３ｂには、リベット１０１の軸部が挿通され、その両端の頭部がかしめられて、左右一対のフランジ１１ａ及びフランジ１２ａ，１３ａを互いに締結固定している。なお、フランジ１１ａ及びフランジ１２ａ，１３ａは、リベット１０１の軸心を中心として、相対回動自在となっている。フランジ１１ａ，１２ａ，１３ａの残りの４個の小径挿通孔１１ｂ，１２ｂ，１３ｂには、実施の形態１と同様、小径ボルト１５が挿通され、袋ナット１６に螺合されている。また、フランジ１１ａ及びフランジ１２ａ，１３ａの大径挿通孔１１ｃ，１２ｃ，１３ｃには、大径ボルト２１が挿通され、大径ナット２２に螺合されている。
【００３２】
よって、実施の形態２では、フランジ１１ａ，１２ａ，１３ａから４組の小径ボルト１５及び袋ナット１７を取外すと共に、大径ボルト２１及び大径ナット２２を取外した場合でも、リベット１０１が胴部１１のフランジ１１ａと蓋部１２，１３のフランジ１２ａ，１３ａとを連結している。よって、胴部１１の左右両端の開口部を開放するには、蓋部１２，１３のフランジ１２ａ，１３ａを、リベット１０１を軸として、胴部１１の開口部と重ならない位置まで回動する。そして、この状態で、胴部１１の内部に収容物を収容したり、胴部１１の内部から収容物を取出したりする。実施の形態２では、前記リベット１０１も、蓋部取付手段を構成する。
【００３３】
実施の形態２に係るタイムカプセルは、タイムカプセルの開封を行う設定日より前に、一対の南京錠３０の鍵が揃わない状態で、タイムカプセルを開封しようとする場合に、その開封を阻止する点で効果的である。即ち、実施の形態１に係るタイムカプセルでは、左右一対の南京錠３０を施錠したままでも、フランジ１１ａ，１２ａ，１３ａから、５組の小径ボルト１５及び袋ナット１７を全て取外すと共に、大径ボルト２１に対して大径ナット２２を緩めると、蓋部１２，１３を大径ボルト２１を中心として回動することにより、胴部１１の開口部を完全に開放して、胴部１１の内部の収容物を外部に取出すことができる。
【００３４】
一方、実施の形態２に係るタイムカプセルでは、左右一対の南京錠３０を施錠したまま、フランジ１１ａ，１２ａ，１３ａから、４組の小径ボルト１５及び袋ナット１７を全て取外すと共に、大径ボルト２１に対して大径ナット２２を緩めた場合（例えば、南京錠３０のかんぬき３１の位置（装着孔の位置）まで緩めた場合）でも、リベット１０１が胴部１１のフランジ１１ａと蓋部１２，１３のフランジ１２ａ，１３ａとを連結維持している。また、このとき、施錠された南京錠３０のかんぬき３１の存在により、大径ボルト２１から大径ナット２２を取外すことはできず、大径ボルト２１が胴部１１のフランジ１１ａと蓋部１２，１３のフランジ１２ａ，１３ａとの間での相対移動を阻止する。よって、蓋部１２，１３のフランジ１２ａ，１３ａを、リベット１０１を軸として、胴部１１の開口部に対して回動することは全くできない。また、リベット１０１がフランジ１１ａに対してフランジ１２ａ，１３ａを密接して連結するため、蓋部１２，１３を胴部１１の軸方向（左右方向）に引張って開口部に隙間を形成することも、リベット１０１を破壊しない限り不可能である。よって、蓋部１２，１３と胴部１１の開口部との間にある程度の隙間を確保することは不可能であり、この隙間から、胴部１１の内部の収容物を外部に取出すこともできなくなる。
【００３５】
なお、リベット１０１を設ける小径挿通孔１１ｂ，１２ｂ，１３ｂは、図６の例では、南京錠３０を取付ける大径ボルト２１用の大径孔１１ｃ，１２ｃ，１３ｃと略対向する位置にある、フランジ１１ａ，１２ａ，１３ａの直線部の一方の小径孔１１ｂ，１２ｂ，１３ｂとしたが、これを他の小径孔１１ｂ，１２ｂ，１３ｂとすることもできる。この場合でも、上記と同様に、南京錠３０を開錠して大径ボルト２１から取外さない限り、胴部１１に対する蓋部１２，１３の相対回動を確実に阻止することができる。
【００３６】
ところで、上記各実施の形態に係るタイムカプセルでは、本体１０の胴部１１の内部空間は長さ方向に貫通しているが、胴部１１の長さ方向中央に隔壁を設け、胴部１１の内部に左右一対の収容空間を形成してもよい。こうすると、胴部１１のそれぞれの収容空間にそれぞれの記念の品々等を収容することができ、胴部１１の一方の開口部を開放しても、その一方側の収容空間に収容した収容物にアクセスできるだけであり、他方の収容空間の収容物にアクセスすることはできなくなるという効果がある。或いは、胴部１１の内部に違い棚状の隔壁を設けてもよい。この場合、胴部１１の内部には、胴部１１の上下方向に２つの収容空間が形成される。また、その一方の収容空間は、胴部１１の一方の開口部から見ると、上側を円弧とした断面半月状の開口を有し、かつ、胴部１１の他方の開口部から見ると、上側を円弧とした断面半月板状の閉塞部を有する。一方、他方の収容空間は、胴部１１の他方の開口部から見ると、下側を円弧とした断面半月状の開口を有し、かつ、胴部１１の一方の開口部から見ると、下側を円弧とした断面半月板状の閉塞部を有する。なお、各収容空間の閉塞部は、胴部１１の開口部の近傍に位置する。かかる違い棚状の隔壁は、胴部１１の内部空間と略同一の長さを有する板材を用意し、その長さ方向両端を半円状に形成する。そして、一方の半円状部分を上側に略９０度で折り曲げると共に、他方の半円状部分を下側に略９０度で折り曲げることにより形成される。かかる隔壁は、胴部１１の一方または他方の開口部から内部空間に挿入して位置を固定することにより、上記のように機能する。
【００３７】
本発明に係るタイムカプセルでは、フランジ１１ａ，１２ａ，１３ａに設ける小径挿通孔１１ｂ，１２ｂ，１３ｂの数（小径ボルト１５の数）は任意である。また、本発明のタイムカプセルは、胴部１１の形状を円筒状以外の筒状または中空状としたり、蓋部１２，１３の形状を半球状意外としたり、フランジ１１ａ，１２ａ，１３ａの形状を略縁環状以外としたりする等、任意の変更が可能である。また、南京錠３０の形状もハート型以外の形状とすることができる。或いは、胴部１１に対して蓋部１２，１３をロックし、鍵がないと開場できないようにする限りにおいて、その他の構成を採用することもできる。例えば、ＩＣチップを埋設したカード型の電子キーや、電磁信号により施錠及び開錠を行うタイプの電子キーを使用することもできる。更に、本発明のタイムカプセルは、フォトフレーム５０を上記実施の形態と別の構成とすることもできる。
【００３８】
また、本発明に係るタイムカプセルは、胴部に開口部を３箇所以上設け、各開口部を蓋部により開閉自在とすると共に、南京状等の任意の錠前（ロック手段）によりロック自在とする構成とすることもできる。例えば、胴部を３本以上の円筒状物を連結したテトラポッド状とし、その３本以上の円筒状物の一端（外側端）にそれぞれ開口部を設けて、それぞれの開口部を蓋部により開閉自在としてもよい。この場合、各円筒状物の一端にフランジを設けると共に、蓋部にも対応するフランジを設け、大径ボルト２１を挿通して、その大径ボルト２１の軸部の先端部に南京錠のかんぬきを挿通して施錠するようにする。
【００３９】
【発明の効果】
本発明に係るタイムカプセルは、夫婦等のペアとなる２人が、結婚式（ウェディング）や赤ちゃん（ベビー）誕生等、２人の記念となる節目に各種の想い出の品等を収納して保管するタイムカプセルとして好適となる。
【図面の簡単な説明】
【図１】図１は本発明の実施の形態１に係るタイムカプセルを示す正面図である。
【図２】図２は本発明の実施の形態１に係るタイムカプセルを示す背面図である。
【図３】図３は本発明の実施の形態１に係るタイムカプセルを示す上面図（平面図）である。
【図４】図４は本発明の実施の形態１に係るタイムカプセルを示す下面図（底面図）である。
【図５】図５は本発明の実施の形態１に係るタイムカプセルの蓋部の開放状態を示す斜視図である。
【図６】図６は本発明の実施の形態２に係るタイムカプセルの要部を示す側面図である。
【符号の説明】
１０：胴部、１１，１２：蓋部
１１ａ：胴部のフランジ、１２ａ，１３ａ：蓋部のフランジ
１１ｂ：小径孔（胴部のフランジの挿通孔）
１１ｃ：大径孔（胴部のフランジの挿通孔）
１２ｂ，１３ｂ：小径挿通孔（蓋部のフランジの挿通孔）
１２ｃ，１３ｃ：大径挿通孔（蓋部のフランジの挿通孔）
１５：小径ボルト（第１ボルト）（蓋部取付手段）
１７：袋ナット（蓋部取付手段）
２１：大径ボルト（第２ボルト）（蓋部取付手段）
２２：大径ナット（蓋部取付手段）
３０：南京錠（ロック手段）
４０：支持鋼線（支持手段）、５０：フォトフレーム
５１：写真部、５２：時計
【図１】
2004323104.tif 000003
【図２】
2004323104.tif 000004
【図３】
2004323104.tif 000005
【図４】
2004323104.tif 000006
【図５】
2004323104.tif 000007
【図６】
2004323104.tif 000008